(57)【要約】【課題】汚物が付着し易く且つ洗浄がし難いとされるボウル部内の後方領域について、十分に洗い流すことができ、洗浄性を高めることができる水洗大便器を提供する。【解決手段】本発明の水洗大便器１は、ボウル形状の汚物受け面４の上縁部に形成されるリム部８と、を備えたボウル部１０と、リム部に設けられてボウル部内に洗浄水を吐水して旋回流を形成するリム吐水部と、を有し、ボウル部は、汚物受け面の上縁部とリム部の下端部との間にリム吐水部から周方向に形成され且つリム吐水部から吐水された洗浄水を周方向に導く棚部６を備え、リム吐水部は、ボウル部の側方側領域又は前方側領域の左右いずれかのリム部に設けられて洗浄水を後方に吐水するリム吐水口１４を形成し、棚部は、ボウル部内の外側から内側に向かって下り傾斜する傾斜面６ａを備え、この傾斜面の傾斜角度は、ボウル部の側方から後方に位置するにつれて大きく設定されている。【選択図】図１０
2018048519.tif 000002
【特許請求の範囲】
【請求項１】
洗浄水源から供給される洗浄水によって洗浄されて汚物を排出する水洗大便器であって、
ボウル形状の汚物受け面と、この汚物受け面の上縁部に形成されるリム部と、を備えたボウル部と、
このボウル部の下方に接続されて汚物を排出する排水路と、
上記リム部に設けられて上記ボウル部内に洗浄水を吐水して旋回流を形成するリム吐水部と、を有し、
上記ボウル部は、さらに、上記汚物受け面の上縁部と上記リム部の下端部との間に上記リム吐水部から周方向に形成され且つ上記リム吐水部から吐水された洗浄水を周方向に導く棚部を備えており、
上記リム吐水部は、上記ボウル部の側方側領域又は前方側領域の左右いずれかのリム部に設けられて洗浄水を後方に吐水するリム吐水口を形成し、
上記棚部は、上記ボウル部内の外側から内側に向かって下り傾斜する傾斜面を備えており、この傾斜面の傾斜角度は、上記ボウル部の側方から後方に位置するにつれて大きくなるように設定されていることを特徴とする水洗大便器。
【請求項２】
上記ボウル部の中心に対して左右対称の位置における上記棚部の傾斜面の傾斜角度は、上記ボウル部の側方側領域の内の上記リム吐水口が形成されている一方側の領域の方が、上記リム吐水口が形成されていない他方側の領域よりも大きくなるように設定されている請求項１記載の水洗大便器。
【請求項３】
上記棚部の幅は、上記ボウル部の側方から後方につれて小さくなるように設定されている請求項１又は２に記載の水洗大便器。
【発明の詳細な説明】
【技術分野】
【０００１】
本発明は、水洗大便器に係り、特に、洗浄水源から供給される洗浄水によって洗浄されて汚物を排出する水洗大便器に関する。
【背景技術】
【０００２】
従来から、洗浄水源から供給される洗浄水によって洗浄されて汚物を排出する水洗大便器として、例えば、特許文献１に記載されているように、リム部の後方側に単一のリム吐水口が設けられており、このリム吐水口から前方に洗浄水が吐水されて旋回流を形成するものが知られている。
このような従来の水洗大便器では、ボウル部の後部において、汚物受け面の上縁部と棚部の内縁部とを連結する下側連結部の曲面の曲率半径、及び、棚部の外縁部とリム部の下端部とを連結する上側連結部の曲面の曲率半径の双方が比較的大きく設定されていると共に、水平面に対する棚部の傾斜角度が比較的大きく設定されている。
【０００３】
また、特許文献２に記載されている従来の水洗大便器においては、ボウル部の側方中央部の少し後方側のリム部に第１リム吐水口が形成されると共に、ボウル部の後方側のリム部に第２リム吐水口が設けられており、これらの第１リム吐水口及び第２リム吐水口のそれぞれから前方に洗浄水が吐水されるものも知られている。
このような従来の水洗大便器のボウル部の後部においても、汚物受け面の上縁部と棚部の内縁部とを連結する連結部の曲面の曲率半径が比較的大きく設定されている。
これらの上述した特許文献１及び特許文献２に記載されている従来の水洗大便器においては、リム吐水口から前方に吐水されたリム吐水がボウル部内の前方領域を旋回した後、ボウル部内の後方領域に到達した洗浄水により、ボウル部内の後方領域に付着している汚物を洗い流すようになっている。
【先行技術文献】
【特許文献】
【０００４】
【特許文献１】特表２０１６−５０１３２６号公報
【特許文献２】特開２０１５−１９６９６０号公報
【発明の概要】
【発明が解決しようとする課題】
【０００５】
しかしながら、上述した特許文献１及び特許文献２に記載されている従来の水洗大便器においては、リム吐水口から前方に吐水されたリム吐水がボウル部内の前方領域を旋回した後、ボウル部内の後方領域に到達した際には、洗浄水の旋回流の勢いが弱められてしまうため、汚物が最も付着し易いボウル部の後方領域を十分に洗い流すことができない場合もあるという問題がある。
また、近年、水洗大便器のデザインの多様化に伴って、リム吐水口やその上流側のリム通水路が使用者側から見えないようにリム部に対する配置を工夫し、単一のリム吐水口から後方に向けて吐水する形態に設計することにより、便器本体のボウル部の内部やリム部の内周側の見た目のすっきり感を演出させるニーズも高まっている。
しかしながら、このようなリム吐水口から後方に向けて吐水する水洗大便器においては、汚物が最も付着し易いボウル部の後方領域を確実に洗い流すために、いかに洗浄に要する洗浄水量を抑えつつ、洗浄性を高めるかが要請された課題となっている。
【０００６】
そこで、本発明は、上述した要請された課題を解決するためになされたものであり、汚物が付着し易く且つ洗浄がし難いとされるボウル部内の後方領域について、十分に洗い流すことができ、洗浄性を高めることができる水洗大便器を提供することを目的としている。
【課題を解決するための手段】
【０００７】
上述した課題を解決するために、本発明は、洗浄水源から供給される洗浄水によって洗浄されて汚物を排出する水洗大便器であって、ボウル形状の汚物受け面と、この汚物受け面の上縁部に形成されるリム部と、を備えたボウル部と、このボウル部の下方に接続されて汚物を排出する排水路と、上記リム部に設けられて上記ボウル部内に洗浄水を吐水して旋回流を形成するリム吐水部と、を有し、上記ボウル部は、さらに、上記汚物受け面の上縁部と上記リム部の下端部との間に上記リム吐水部から周方向に形成され且つ上記リム吐水部から吐水された洗浄水を周方向に導く棚部を備えており、上記リム吐水部は、上記ボウル部の側方側領域又は前方側領域の左右いずれかのリム部に設けられて洗浄水を後方に吐水するリム吐水口を形成し、上記棚部は、上記ボウル部内の外側から内側に向かって下り傾斜する傾斜面を備えており、この傾斜面の傾斜角度は、上記ボウル部の側方から後方に位置するにつれて大きくなるように設定されていることを特徴としている。
このように構成された本発明においては、ボウル部の側方側領域又は前方側領域の左右いずれかのリム部に設けられたリム吐水部のリム吐水口から後方に吐水された洗浄水は、棚部上に沿って流れることによりボウル部の周方向に導かれて旋回する流れ（旋回流）を形成する。この際、棚部におけるボウル部内の外側から内側に向かって下り傾斜する傾斜面の傾斜角度がボウル部の側方から後方に位置するにつれて大きくなるように設定されているため、リム吐水口から後方に吐水された洗浄水は、ボウル部の側方から後方の棚部の傾斜面に差し掛かると、比較的大きな傾斜角度の棚部の傾斜面からボウル部内の後方領域にスムーズに流れ込むことができる。したがって、汚物が付着し易く且つ洗浄がし難いとされるボウル部内の後方領域について、十分に洗い流すことができ、洗浄性を高めることができる。
【０００８】
本発明において、好ましくは、上記ボウル部の中心に対して左右対称の位置における上記棚部の傾斜面の傾斜角度は、上記ボウル部の側方側領域の内の上記リム吐水口が形成されている一方側の領域の方が、上記リム吐水口が形成されていない他方側の領域よりも大きくなるように設定されている。
このように構成された本発明においては、ボウル部の中心に対して左右対称の位置における棚部の傾斜面の傾斜角度について、ボウル部の側方側領域の内のリム吐水口が形成されている一方側の領域の方が、リム吐水口が形成されていない他方側の領域よりも大きくなるように設定されているため、リム吐水口から後方に吐水された洗浄水がボウル部の側方側領域の一方側の領域から後方に差し掛かると、傾斜角度が比較的大きい棚部の傾斜面からボウル部内の後方領域にスムーズに流れ込むことができる。したがって、汚物が付着し易く且つ洗浄がし難いとされるボウル部内の後方領域について、十分に洗い流すことができ、洗浄性を確実に高めることができる。
【０００９】
本発明において、好ましくは、上記棚部の幅は、上記ボウル部の側方から後方につれて小さくなるように設定されている。
このように構成された本発明においては、棚部の幅がボウル部の側方から後方につれて小さくなるように設定されているため、リム吐水口から後方に吐水された洗浄水は、ボウル部の側方から後方の棚部に差し掛かると、幅が比較的小さい棚部からボウル部内の後方領域にスムーズに流れ込むことができる。したがって、汚物が付着し易く且つ洗浄がし難いとされるボウル部内の後方領域について、十分に洗い流すことができ、洗浄性をより確実に高めることができる。
【発明の効果】
【００１０】
本発明の水洗大便器によれば、汚物が付着し易く且つ洗浄がし難いとされるボウル部内の後方領域について、十分に洗い流すことができ、洗浄性を高めることができる。
【図面の簡単な説明】
【００１１】
【図１】本発明の一実施形態による水洗大便器の便器本体の中央側面断面図である。
【図２】本発明の一実施形態による水洗大便器の便器本体の平面図である。
【図３】本発明の一実施形態による水洗大便器の便器本体について斜め後方から見た斜視図である。
【図４】図２のＡ１−Ａ１線に沿った断面図である。
【図５】図２のＡ２−Ａ２線に沿った断面図である。
【図６】図２のＢ１−Ｂ１線に沿った断面図である。
【図７】図２のＢ２−Ｂ２線に沿った断面図である。
【図８】図２のＣ１−Ｃ１線に沿った断面図である。
【図９】図２のＣ２−Ｃ２線に沿った断面図である。
【図１０】図２のＤ−Ｄ線に沿った断面図である。
【発明を実施するための形態】
【００１２】
つぎに、図１〜図１０を参照して、本発明の一実施形態による水洗大便器について説明する。
まず、図１は、本発明の一実施形態による水洗大便器の便器本体の中央側面断面図である。また、図２は、本発明の一実施形態による水洗大便器の便器本体の平面図である。さらに、図３は、本発明の一実施形態による水洗大便器の便器本体について斜め後方から見た斜視図である。
【００１３】
図１〜図３に示すように、本発明の一実施形態による水洗大便器１は、陶器製の便器本体２を備えている。
なお、図１〜図３に示す本実施形態の水洗大便器１においては、便器本体２の上面に便座及び便蓋が設けられていると共に、その後方側には、使用者の局部を洗浄する衛生洗浄部や便器本体２への給水機能に関与する給水系機能部等の機能部等が設けられているが、これらについては図示せず、説明を省略する。
【００１４】
また、図１〜図３に示すように、便器本体２は、ボウル形状の汚物受け面４と、この汚物受け面４の上縁部に形成される棚部６と、この棚部６の外縁部から立ち上がるように形成されたリム部８とからなるボウル部１０を備えている。
さらに、図１に示すように、便器本体２は、ボウル部１０の下方に入口部１２ａが接続されて、ボウル部１０内の汚物を排出する排水路である排水トラップ管路１２を備えている。
ここで、図１及び図２に示す本発明の第１実施形態による水洗大便器１においては、便器本体２のボウル部１０の平面視における水平左右方向の中心軸線を「Ｘ」で示し、水平前後方向の中心軸線を「Ｙ」で示し、ボウル部１０の中心Ｏを通る鉛直方向の中心軸線「Ｚ」で示している。
また、図２に示すように、水洗大便器１の前後左右の方向については、「前」、「後」、「左」、「右」でそれぞれ示している。
そして、図１及び図２に示すように、水洗大便器１のボウル部１０における中心Ｏ、水平左右方向の中心軸線Ｘ、及び鉛直方向の中心軸線Ｚに対して、前方側、後方側のそれぞれの領域について、「前方側領域Ｆ」、「後方側領域Ｂ」とそれぞれ定義している。
さらに、図２に示すように、水洗大便器１のボウル部１０における中心Ｏ、水平前後方向の中心軸線Ｙに対して、前方から見て左側、右側のそれぞれの領域について、「左側領域Ｌ」、「右側領域Ｒ」とそれぞれ定義している。
【００１５】
つぎに、図１〜図３に示すように、ボウル部１０の前方側領域Ｆ内の左右の一方の側のリム部８、すなわち、便器本体２の前方から見てボウル部１０の前方側領域Ｆ内の右側領域Ｒのリム部８の内周側には、ボウル部１０内に洗浄水を後方に吐水して旋回流を形成するリム吐水部の一部である単一のリム吐水口１４が形成されている。すなわち、この単一のリム吐水口１４は、リム部８の内周側の全周における前方側領域Ｆ且つ右側領域Ｒの一部分に設けられた唯一の吐水口である。
また、リム吐水口１４の上流側のリム通水路（図示せず）は、リム部８の内部に形成されているが、このリム通水路（図示せず）の上流側は、導水管（図示せず）等を介して洗浄水源である水道（図示せず）等に接続されている。
さらに、ボウル部１０の棚部６は、リム吐水口１４から下流側に周方向に形成されており、リム吐水口１４から後方に向けて吐水（リム吐水）された洗浄水が、棚部６上に沿って周方向に導かれるようになっている。
【００１６】
なお、本実施形態の水洗大便器１においては、リム吐水口１４が便器本体２の前方から見てボウル部１０の前方側領域Ｆ内の右側のリム部８の内周側に形成された形態について説明するが、このような形態に限られず、単一のリム吐水口１４については、ボウル部１０の側方側領域又は前方側領域Ｆの左右いずれかのリム部８の内周側に設けられていて、かつリム吐水口１４から後方に向けて吐水（リム吐水）されるような形態であればよい。
【００１７】
さらに、図１に示すように、ボウル部１０の底部には、排水トラップ管路１２の入口部１２ａに差し向けられるようにジェット吐水口１６が形成されており、このジェット吐水口１６からも給水系機能部（図示せず）からの吐水（ジェット吐水）が行われるようになっている。
なお、本実施形態による水洗大便器１においては、リム吐水口１４によるリム吐水について水道の給水圧力を利用して行い、ジェット吐水口１６によるジェット吐水について加圧ポンプ（図示せず）を制御することにより貯水タンク（図示せず）内の洗浄水を供給する、いわゆる、ハイブリット式の水洗大便器の形態について説明するが、このような形態に限られず、他の形態についても適用可能である。また、ジェット吐水口１６によるジェット吐水について省略した形態であってもよい。
【００１８】
つぎに、図１〜図１０を参照して、本発明の一実施形態による水洗大便器１のボウル部１０の汚物受け面４の上縁部からリム部８までの部分の詳細について説明する。
まず、図４は、図２のＡ１−Ａ１線に沿った断面図（Ａ１−Ａ１断面図）であり、図５は、図２のＡ２−Ａ２線に沿った断面図（Ａ２−Ａ２断面図）である。
つぎに、図６は、図２のＢ１−Ｂ１線に沿った断面図（Ｂ１−Ｂ１断面図）であり、図７は、図２のＢ２−Ｂ２線に沿った断面図（Ｂ２−Ｂ２断面図）である。
また、図８は、図２のＣ１−Ｃ１線に沿った断面図（Ｃ１−Ｃ１断面図）であり、図９は、図２のＣ２−Ｃ２線に沿った断面図（Ｃ２−Ｃ２断面図）である。
さらに、図１０は、図２のＤ−Ｄ線に沿った断面図（Ｄ−Ｄ断面図）である。
ここで、本実施形態において、図６に示すＢ１−Ｂ１断面図及び図８に示すＣ１−Ｃ１断面図のそれぞれについては、図２に示す平面視の便器本体２におけるＡ１−Ａ１線に沿った断面からボウル部１０の中心Ｏを中心に周方向左回りに３０°及び６０°それぞれずらしたボウル部１０の後方側領域Ｂの部分断面図である。
また、図７に示すＢ２−Ｂ２断面図、図９に示すＣ２−Ｃ２断面図、及び図１０に示すＤ−Ｄ断面図のそれぞれについては、図２に示す平面視の便器本体２におけるＡ２−Ａ２線に沿った断面からボウル部１０の中心Ｏを中心に周方向右回りに３０°、６０°、及び９０°それぞれずらしたボウル部１０の後方側領域Ｂの部分断面図である。
【００１９】
まず、図１〜図１０に示すように、棚部６は、ボウル部１０内の外側から内側に向かって下り傾斜する傾斜面６ａを備えており、図４〜図１０に示す棚部６の各傾斜面６ａの各傾斜角度α１，α２，β１，β２，γ１，γ２，δは、ボウル部１０の側方から後方に位置するにつれて大きくなるように設定されている（α１＜β１＜γ１≦δ、α２＜β２＜γ２＜δ）。
ここで、図４に示す棚部６の傾斜面６ａの傾斜角度α１については、例えば、１°〜１５°に設定されることが好ましく、２°〜７°に設定されることがより好ましい。
また、図５に示す棚部６の傾斜面６ａの傾斜角度α２については、例えば、１°〜１５°に設定されることが好ましく、２°〜７°に設定されることがより好ましい。
さらに、図６に示す棚部６の傾斜面６ａの傾斜角度β１については、例えば、３°〜３０°に設定されることが好ましく、１０°〜２０°に設定されることがより好ましい。
また、図７に示す棚部６の傾斜面６ａの傾斜角度β２については、例えば、２°〜２５°に設定されることが好ましく、７°〜１７°に設定されることがより好ましい。
さらに、図８に示す棚部６の傾斜面６ａの傾斜角度γ１については、例えば、１０°〜４０°に設定されることが好ましく、１５°〜３０°に設定されることがより好ましい。
また、図９に示す棚部６の傾斜面６ａの傾斜角度γ２については、例えば、３°〜３０°に設定されることが好ましく、１０°〜２０°に設定されることがより好ましい。
さらに、図１０に示す棚部６の傾斜面６ａの傾斜角度δについては、例えば、１０°〜４０°に設定されることが好ましく、１５°〜３０°に設定されることがより好ましい。
【００２０】
また、図２、図４及び図５に示すように、ボウル部１０の中心Ｏに対して左右対称の位置における棚部６の傾斜面６ａの傾斜角度α１，α２では、ボウル部１０の側方側領域の内のリム吐水口１４が形成されている一方側の領域（便器本体２を前方から見て右側領域Ｒ）の棚部６の傾斜面６ａの傾斜角度α１（例えば、α１＝３．６°）の方が、リム吐水口１４が形成されていない他方側の領域（便器本体２を前方から見て左側領域Ｌ）の棚部６の傾斜面６ａの傾斜角度α２（例えば、α２＝３．１°）よりも大きくなるように設定されている（α１＞α２）。
同様に、図６及び図７に示すように、ボウル部１０の中心Ｏに対して左右対称の位置における棚部６の傾斜面６ａの傾斜角度β１，β２では、ボウル部１０の側方側領域の内のリム吐水口１４が形成されている一方側の領域（便器本体２を前方から見て右側領域Ｒ）の棚部６の傾斜面６ａの傾斜角度β１（例えば、β１＝１５°）の方が、リム吐水口１４が形成されていない他方側の領域（便器本体２を前方から見て左側領域Ｌ）の棚部６の傾斜面６ａの傾斜角度β２（例えば、β２＝１２°）よりも大きくなるように設定されている（β１＞β２）。
また、同様に、図８及び図９に示すように、ボウル部１０の中心Ｏに対して左右対称の位置における棚部６の傾斜面６ａの傾斜角度γ１，γ２では、ボウル部１０の側方側領域の内のリム吐水口１４が形成されている一方側の領域（便器本体２を前方から見て右側領域Ｒ）の棚部６の傾斜面６ａの傾斜角度γ１（例えば、γ１＝２２°）の方が、リム吐水口１４が形成されていない他方側の領域（便器本体２を前方から見て左側領域Ｌ）の棚部６の傾斜面６ａの傾斜角度γ２（例えば、γ２＝１４°）よりも大きくなるように設定されている（γ１＞γ２）。
【００２１】
また、図４〜図１０に示す棚部６の各傾斜面６ａの余弦成分の長さに相当する棚部６の幅ａ１，ａ２，ｂ１，ｂ２，ｃ１，ｃ２，ｄは、ボウル部１０の側方から後方につれて小さくなるように設定されている（ａ１＞ｂ１＞ｃ１≧ｄ、ａ２＞ｂ２＞ｃ２＞ｄ）。
ここで、図４に示す棚部６の幅ａ１については、例えば、５ｍｍ〜２５ｍｍに設定されることが好ましく、５ｍｍ〜１５ｍｍに設定されることが最も好ましい。
また、図６に示す棚部６の幅ｂ１については、例えば、２ｍｍ〜２０ｍｍに設定されることが好ましく、３ｍｍ〜１３ｍｍに設定されることが最も好ましい。
さらに、図８に示す棚部６の幅ｃ１については、例えば、０ｍｍ〜１０ｍｍに設定されることが好ましく、０ｍｍ〜５ｍｍに設定されることが最も好ましい。
また、図１０に示す棚部６の幅ｄについては、例えば、０ｍｍ〜１０ｍｍに設定されることが好ましく、０ｍｍ〜５ｍｍに設定されることが最も好ましい。
さらに、図５に示す棚部６の幅ａ２については、例えば、５ｍｍ〜３５ｍｍに設定されることが好ましく、５ｍｍ〜２５ｍｍに設定されることが最も好ましい。
また、図７に示す棚部６の幅ｂ２については、例えば、５ｍｍ〜２５ｍｍに設定されることが好ましく、５ｍｍ〜１５ｍｍに設定されることが最も好ましい。
さらに、図９に示す棚部６の幅ｃ２については、例えば、２ｍｍ〜２０ｍｍに設定されることが好ましく、３ｍｍ〜１３ｍｍに設定されることが最も好ましい。
【００２２】
つぎに、図４〜図１０に示すように、ボウル部１０は、さらに、リム部８の下端部８ａと棚部６の外縁部６ｂとの間を各曲面Ｒ１，Ｒ２，Ｓ１，Ｓ２，Ｔ１，Ｔ２，Ｕ１にて連結する外側連結部１８を備えている。この外側連結部１８の各曲面Ｒ１，Ｒ２，Ｓ１，Ｓ２，Ｔ１，Ｔ２，Ｕ１の立面視における上下方向の各曲率半径ｒ１，ｒ２，ｓ１，ｓ２，ｔ１，ｔ２，ｕ１は、ボウル部１０の側方から後方につれて大きくなるように設定されている（ｒ１＜ｓ１＜ｔ１≦ｕ１、ｒ２＜ｓ２＜ｔ２＜ｕ１）。
ここで、図４に示す曲率半径ｒ１については、例えば、２ｍｍ〜１５ｍｍに設定されることが好ましく、５〜１０ｍｍに設定されることがより好ましい。
また、図６に示す曲率半径ｓ１については、例えば、５ｍｍ〜２０ｍｍに設定されることが好ましく、７〜１５ｍｍに設定されることがより好ましい。
さらに、図８に示す曲率半径ｔ１については、例えば、８ｍｍ〜３０ｍｍに設定されることが好ましく、１０〜２５ｍｍに設定されることがより好ましい。
また、図１０に示す曲率半径ｕ１については、例えば、８ｍｍ〜４０ｍｍに設定されることが好ましく、１０〜２５ｍｍに設定されることがより好ましい。
さらに、図５に示す曲率半径ｒ２については、例えば、２ｍｍ〜１５ｍｍに設定されることが好ましく、５〜１０ｍｍに設定されることがより好ましい。
また、図７に示す曲率半径ｓ２については、例えば、５ｍｍ〜２０ｍｍに設定されることが好ましく、７〜１５ｍｍに設定されることがより好ましい。
さらに、図９に示す曲率半径ｔ２については、例えば、８ｍｍ〜２５ｍｍに設定されることが好ましく、１０〜２０ｍｍに設定されることがより好ましい。
【００２３】
つぎに、図２、図４及び図５に示すように、ボウル部１０の中心Ｏに対して左右対称の位置における外側連結部１８の各曲面Ｒ１，Ｒ２の各曲率半径ｒ１，ｒ２においては、ボウル部１０の側方側領域の内のリム吐水口１４が形成されている一方側の領域（便器本体２を前方から見て右側領域Ｒ）の曲率半径ｒ１（例えば、ｒ１＝８ｍｍ）方が、リム吐水口１４が形成されていない他方側の領域（便器本体２を前方から見て左側領域Ｌ）の曲率半径ｒ２（例えば、ｒ２＝７ｍｍ）よりも大きくなるように設定されている（ｒ１＞ｒ２）。
同様に、図６及び図７に示すように、ボウル部１０の中心Ｏに対して左右対称の位置における外側連結部１８の各曲面Ｓ１，Ｓ２の各曲率半径ｓ１，ｓ２においては、ボウル部１０の側方側領域の内のリム吐水口１４が形成されている一方側の領域（便器本体２を前方から見て右側領域Ｒ）の曲率半径ｓ１（例えば、ｓ１＝１１ｍｍ）方が、リム吐水口１４が形成されていない他方側の領域（便器本体２を前方から見て左側領域Ｌ）の曲率半径ｓ２（例えば、ｓ２＝９ｍｍ）よりも大きくなるように設定されている（ｓ１＞ｓ２）。
また、同様に、図８及び図９に示すように、ボウル部１０の中心Ｏに対して左右対称の位置における外側連結部１８の各曲面Ｔ１，Ｔ２の各曲率半径ｔ１，ｔ２においては、ボウル部１０の側方側領域の内のリム吐水口１４が形成されている一方側の領域（便器本体２を前方から見て右側領域Ｒ）の曲率半径ｔ１（例えば、ｔ１＝１４ｍｍ）方が、リム吐水口１４が形成されていない他方側の領域（便器本体２を前方から見て左側領域Ｌ）の曲率半径ｔ２（例えば、ｔ２＝１２ｍｍ）よりも大きくなるように設定されている（ｔ１＞ｔ２）。
【００２４】
つぎに、図４〜図１０に示すように、ボウル部１０は、さらに、棚部６の内縁部６ｃと汚物受け面４の上縁部４ａとの間を各曲面Ｒ３，Ｒ４，Ｓ３，Ｓ４，Ｔ３，Ｔ４，Ｕ２にて連結する内側連結部２０を備えている。この内側連結部２０の各曲面Ｒ３，Ｒ４，Ｓ３，Ｓ４，Ｔ３，Ｔ４，Ｕ２の立面視における上下方向の各曲率半径ｒ３，ｒ４，ｓ３，ｓ４，ｔ３，ｔ４，ｕ２は、ボウル部１０の側方から後方につれて大きくなるように設定されている（ｒ３＜ｓ３＜ｔ３＜ｕ２、ｒ４＜ｓ４＜ｔ４＜ｕ２）。
ここで、図４に示す曲率半径ｒ３については、例えば、１０ｍｍ〜３５ｍｍに設定されることが好ましく、１５〜２５ｍｍに設定されることがより好ましい。
また、図６に示す曲率半径ｓ３については、例えば、２０ｍｍ〜５０ｍｍに設定されることが好ましく、３０〜４０ｍｍに設定されることがより好ましい。
さらに、図８に示す曲率半径ｔ３については、例えば、３０ｍｍ〜６０ｍｍに設定されることが好ましく、４０〜５０ｍｍに設定されることがより好ましい。
また、図１０に示す曲率半径ｕ２については、例えば、４０ｍｍ〜７０ｍｍに設定されることが好ましく、５０〜６０ｍｍに設定されることがより好ましい。
さらに、図５に示す曲率半径ｒ４については、例えば、３ｍｍ〜３０ｍｍに設定されることが好ましく、１０〜２０ｍｍに設定されることがより好ましい。
また、図７に示す曲率半径ｓ４については、例えば、１５ｍｍ〜４５ｍｍに設定されることが好ましく、２５〜３５ｍｍに設定されることがより好ましい。
さらに、図９に示す曲率半径ｔ４については、例えば、２０ｍｍ〜５０ｍｍに設定されることが好ましく、３０〜４０ｍｍに設定されることがより好ましい。
【００２５】
つぎに、上述した本発明の一実施形態による水洗大便器１における作用について説明する。
まず、本発明の一実施形態による水洗大便器１によれば、ボウル部１０の前方側領域Ｆ内の左右の一方の側のリム部８に設けられたリム吐水部のリム吐水口１４から後方に吐水された洗浄水は、棚部６上に沿って流れることによりボウル部１０の周方向に導かれて旋回する流れ（旋回流）を形成する。
この際、図４〜図１０に示すように、棚部６におけるボウル部１０内の外側から内側に向かって下り傾斜する傾斜面６ａの各傾斜角度α１，α２，β１，β２，γ１，γ２，δがボウル部１０の側方から後方に位置するにつれて大きくなるように設定されているため、リム吐水口１４から後方に吐水された洗浄水は、ボウル部１０の側方から後方の棚部６の傾斜面に差し掛かると、特に、図１０に示す比較的大きな傾斜角度δの棚部６の傾斜面６ａからボウル部１０内の後方側領域Ｂにスムーズに流れ込むことができる。
したがって、汚物が付着し易く且つ洗浄がし難いとされるボウル部１０内の後方側領域Ｂについて、十分に洗い流すことができ、洗浄性を高めることができる。
【００２６】
つぎに、本実施形態による水洗大便器１によれば、図２、図４〜図１０に示すように、ボウル部１０の中心Ｏに対して左右対称の位置における棚部６の傾斜面６ａの傾斜角度α１，α２，β１，β２，γ１，γ２について、ボウル部１０の側方側領域の内のリム吐水口１４が形成されている一方側の領域（便器本体２を前方から見て右側領域Ｒ）の棚部６の傾斜面６ａの傾斜角度α１，β１，γ１（図４、図６、図８参照）の方が、リム吐水口１４が形成されていない他方側の領域（便器本体２を前方から見て左側領域Ｌ）の棚部６の傾斜面６ａの傾斜角度α２，β２，γ２（図５、図７、図９参照）よりも大きくなるように設定されているため、リム吐水口１４から後方に吐水された洗浄水がボウル部１０の側方側領域の一方側の領域（右側領域Ｒ且つ前方側領域Ｆ）から後方側領域Ｂに差し掛かると、特に、図１０に示すように、傾斜角度δが比較的大きい棚部６の傾斜面６ａからボウル部１０内の後方側領域Ｂにスムーズに流れ込むことができる。
したがって、汚物が付着し易く且つ洗浄がし難いとされるボウル部１０内の後方側領域Ｂについて、十分に洗い流すことができ、洗浄性を確実に高めることができる。
【００２７】
また、本実施形態による水洗大便器１によれば、図４〜図１０に示すように、棚部６の幅ａ１，ａ２，ｂ１，ｂ２，ｃ１，ｃ２，ｄが、ボウル部１０の側方から後方につれて小さくなるように設定されている（ａ１＞ｂ１＞ｃ１＞ｄ、ａ２＞ｂ２＞ｃ２＞ｄ）ため、リム吐水口１４から後方に吐水された洗浄水は、ボウル部１０の側方から後方の棚部６に差し掛かると、幅が比較的小さい棚部６からボウル部１０内の後方側領域Ｂにスムーズに流れ込むことができる。
したがって、汚物が付着し易く且つ洗浄がし難いとされるボウル部１０内の後方側領域Ｂについて、十分に洗い流すことができ、洗浄性をより確実に高めることができる。
【符号の説明】
【００２８】
１        水洗大便器
２        便器本体
４        汚物受け面
４ａ      汚物受け面の上縁部
６        棚部
６ａ      棚部の傾斜面
６ｂ      棚部の外縁部
６ｃ      棚部の内縁部
８        リム部
８ａ      リム部の下端部
１０        ボウル部
１２        排水トラップ管路（排水路）
１２ａ      入口部
１４        リム吐水口（リム吐水部）
１６        ジェット吐水口
１８        外側連結部
２０        内側連結部
ａ１      棚部の幅
ａ２      棚部の幅
Ｂ        ボウル部の後方側領域
ｂ１      棚部の幅
ｂ２      棚部の幅
ｃ１      棚部の幅
ｃ２      棚部の幅
ｄ        棚部の幅
Ｆ        ボウル部の前方側領域
Ｌ        ボウル部の左側領域
Ｏ        ボウル部の中心
Ｒ        ボウル部の右側領域
Ｒ１      外側連結部の曲面
Ｒ２      外側連結部の曲面
Ｒ３      内側連結部の曲面
Ｒ４      内側連結部の曲面
ｒ１      外側連結部の曲面の上下方向の曲率半径
ｒ２      外側連結部の曲面の上下方向の曲率半径
ｒ３      内側連結部の曲面の上下方向の曲率半径
ｒ４      内側連結部の曲面の上下方向の曲率半径
Ｓ１      外側連結部の曲面
Ｓ２      外側連結部の曲面
Ｓ３      内側連結部の曲面
Ｓ４      内側連結部の曲面
ｓ１      外側連結部の曲面の上下方向の曲率半径
ｓ２      外側連結部の曲面の上下方向の曲率半径
ｓ３      内側連結部の曲面の上下方向の曲率半径
ｓ４      内側連結部の曲面の上下方向の曲率半径
Ｔ１      外側連結部の曲面
Ｔ２      外側連結部の曲面
Ｔ３      内側連結部の曲面
Ｔ４      内側連結部の曲面
ｔ１      外側連結部の曲面の上下方向の曲率半径
ｔ２      外側連結部の曲面の上下方向の曲率半径
ｔ３      内側連結部の曲面の上下方向の曲率半径
ｔ４      内側連結部の曲面の上下方向の曲率半径
Ｕ１      外側連結部の曲面
Ｕ２      内側連結部の曲面
ｕ１      外側連結部の曲面の上下方向の曲率半径
ｕ２      内側連結部の曲面の上下方向の曲率半径
Ｘ        ボウル部の水平左右方向の中心軸線
Ｙ        ボウル部の水平前後方向の中心軸線
Ｚ        ボウル部の中心を通る鉛直方向の中心軸線
α１      棚部の傾斜面の傾斜角度
α２      棚部の傾斜面の傾斜角度
β１      棚部の傾斜面の傾斜角度
β２      棚部の傾斜面の傾斜角度
γ１      棚部の傾斜面の傾斜角度
γ２      棚部の傾斜面の傾斜角度
δ        棚部の傾斜面の傾斜角度
【図１】
2018048519.tif 000003
【図２】
2018048519.tif 000004
【図３】
2018048519.tif 000005
【図４】
2018048519.tif 000006
【図５】
2018048519.tif 000007
【図６】
2018048519.tif 000008
【図７】
2018048519.tif 000009
【図８】
2018048519.tif 000010
【図９】
2018048519.tif 000011
【図１０】
2018048519.tif 000012